(57)【要約】【課題】  軽くて、衛生的でありどこでも簡易に設置ができ、しかも使い心地の良い携帯が容易な便器を提供する。【解決手段】  可塑性のシートで構成された空気で膨らむ簡易便器に空気入れを内蔵一体化し、中にレジ袋を収納させる構造とした。【選択図】図１
2008212609.tif 000002
【特許請求の範囲】
【請求項１】
（イ）ビニールやポリウレタンク等のシートを中空に成形し、環状に構する。
（ロ）その外周の一端に上記シートで空気孔を有する突起を一体に設ける。
（ハ）その空気孔内部の突起の内底下部とに弁をそれぞれ設け手動空気ポンプとし、全体体を一気室に構成する。
以上のごとく構成された空気で膨らませる簡易便器
【請求項２】
底を有する上記請求１の簡易便器
【発明の詳細な説明】
【発明の詳細な説明】
【技術分野】
【０００１】  この発明は、ビニールやポリウレタン等可塑性のシートで構成され空気で膨らませる簡易便器に関するものである。
【背景技術】
【０００２】  従来、プラスチック製品ならびに、ダンボール紙などで構成された簡易便器はあったが、特許公開番号２００２−１６５７２８、２００６−１４９９６６や２００７−４４３５６は合成樹脂材料やダンボールで成形された製品で分解や折り畳みはできても携帯
するにはなお不向きであり、ダンボール紙製の簡易便器は、耐水性や強度に欠けていた。また、幼児用のオマルでビニール製のものはあったが、底に別体のプスチック製の桶を嵌め、空気入れを用意するという不便さがあった。また、排泄物を入れるものだけに口での空気注入には抵抗が感じられた。同様に特許公開２０００−３７３２２や平７−１９４５００や登録実用新案３０２１３４８は空気袋を使用しながらも、空気室が分かれ、さらに空気ポンプの用意をしなければならず、それぞれの空気注入が煩雑であった。
【発明が解決しようとする課題】
【０００３】  本発明は、その欠点を除いて、携帯に便利であること、さらに使用する際、空気注入方法を簡単に尚且つ衛生的にできるよう開発しようとするものである。
【課題を解決するための手段】
【０００４】  いま、解決手段を図を追いながら説明すれば
（イ）シートを中空にして環状に構成し、その外周に背もたれ１を設ける
（ロ）背もたれ上部にポンプ用に空気孔２を有する図３の空気弁を設ける。
（ハ）背もたれ内部の底部にも図４の空気弁を設ける。
以上のように構成し背もたれ部１を手で上下させることで、空気ポンプの役割を持たせる。背もたれ部と環状部６の上部である便座５の連結部は内部で空気の流入口を有して繋がっている。
（ニ）背もたれ部を上下させ本体に空気を入れてから、レジ袋やごみ袋等を本体に装着してから使用する。
【発明の実態の形態】
【０００５】  本発明は、以上のような構造で、空気排出時は図３の空気弁の係止部１３を押し下げる。なお、空気栓４を図のようにさらに別に設け空気の排出に使用することが望ましい。空気栓４は一般的な空気ビニール玩具や浮き輪等に使用される栓である。空気注入時は空気栓４の蓋をしてから空気孔２の蓋９をあけ、背もたれ下の持ち手３を片手で持ち、背もたれ１を上下に動かすことで、空気が注入され、本器を簡便に膨らませることができる。  また、図２のように背もたれでなくても本体外周に突起状に空気ポンプ７が形成されていても良い。環状部の構造も空気が内部に注入保持される構造で強度があれば図１のように縦に仕切りをいれても、図２のように横でも構わない。
【０００６】  空気ポンプの構成は、弁を上下２箇所以上に有すれば良く、本体環状部と併せて全体を１気室の構造とすることで本体の形成が迅速かつ容易となる。図３の突起上端の空気弁を説明すると、１２の弁上部を本体背もたれ１の上部表面に穴を開けて溶着させる。２の空気孔は中央に貫通孔を一つ有し、その回りにも環状に幾つかの貫通孔を有する。中央の貫通孔に図５の弁を係止部１３によって吊るした構造となっている。図５の可動弁１０は柔らかいシート状でゴムや樹脂などで構成される。上部から取り込まれた空気は可動弁１０を押し下げ内部に空気を流入させる。ポンプ内底下部に取り付けた図４の空気弁も同様である。一旦、取り込まれた空気は内部から図４の可動弁１０‘を押し上げ、空気弁下部表面の１１に密着するので空気洩れは起こらない。なお、図３と図４は基本的に同一構造で、図３は蓋９を一体に有するに過ぎない。１１の空気弁下部は上部に湾曲しておりゴムやシートを打ち抜きした可動弁１０との密着を防ぎ表面積を広くしている。
【０００７】  空気ポンプの構成は空気弁としては、上下一対であれば良いが、さらに上部を２箇所にしたり逆に下部を２箇所にしたりしても良い。また、空気弁の構造には前記以外にも様々な形式が考えられる。図６は本体１５の下部に可動式の弁１６を有し、栓１４を有する。また、図７は別の空気ポンプの内部構造を表したもので上部に空気弁図３を有し、下部に発泡弾性体１８とその係止部１７のシートで構成し側部にシートを筒状にした２０の弁を有する。筒状のシートは空気流入時には筒状に広がるが、その後は内部空気圧によって潰され空気の排出は止まる。空気ポンプの構造はスポンジを介さなくてもよく、図８の如く下部にチューブ状のシートを直接つなげた内部構造でも構わない。図８ではチューブの貼り付きを防止するために下部にスリットを設けたが、穴を片側に開けても構わない。チューブ内表面に砂状模様にシボを有しておくことも貼り付けの防止に有効である。
【０００８】  なお、本発明の実施に当たって、比較的小型なスーパーなどのレジ袋を使用し、図９に示すように背もたれの反対側に空気の入らないハンドル部分を設け、レジ袋の持ち手部分をそれぞれ、図９のようにハンドルと背もたれに引っ掛けてから袋を本器中央内部に納めれば幼児用の簡易便器として使用することができる。袋が大きい場合は本体の前部にフック８を溶着しておき、それに引っ掛けることも有効である。袋内部に事前に紙おむつ等で使用されている尿吸着材を敷いておけば、後片付けも楽となる。また、大人用には本体を大型にし内部に大型のごみ袋を収納すればよい。  また、請求項１の実施例では地震や災害時には地面に穴を開け、袋を使用せず直接に穴内部に汚物を出すようにしても良い。空気で膨らんでいるので使用感は柔らかく、しかも折り畳めば軽く場所も取らずに携帯にも簡便である。
【０００９】    請求項２の本体に底部を有する構成に関しては、空気の入らないシートを底として溶着すれば、平坦であり、清掃も楽で製造も容易である。
底に空気を入れる構造とするにはＬ字硬質パイプを本体環状部６の下部に溶着し、その一端を露出させてから、中空に構成した底部の開口部に挿入し、さらに周囲を密閉溶着させれば全体を一気室で構成できる。底を有することで、レジ袋などの破れが起こったとしても、簡易便器内部に汚物が残るので室内を汚さなくてすむ。
【発明の効果】
【００１０】    空気ポンプが本体と一体に形成されているので、空気入れを使用することなく、また、口から空気を注入することなく、簡単に且つ衛生的に場所を選ばず簡易便器を膨らませることが出来る、使用後は空気を抜けば携帯することもできる。また、内部にレジ袋やごみ袋などを収納させることも出来るので後片付けも容易であり、本体が空気式のために使用感もソフトである。地震や災害時にも役立つ。
【図面の簡単な説明】
【００１１】
【図１】  本発明の簡易便器の外観斜視図である。
【図２】  本発明の別形態の外観斜視図である。
【図３】  空気ポンプの上部空気弁の斜視図。
【図４】  空気ポンプ下部の内部空気弁の斜視図。
【図５】  弁本体の斜視図
【図６】  他の形態の空気弁の斜視図
【図７】  他の形態の空気ポンプの内部構造
【図８】  下部にシートで構成されたチューブ状の弁を有する他の空気ポンプ
【図９】  内部にレジ袋を収納し前部にハンドルを有する本発明の使用形態を示す斜視図
【符号の説明】
【００１２】  １は背もたれ
２は空気孔
３は空気ポンプの持ち手
４は空気栓
５は本体便座
６は本体環状部
７は別形状の空気ポンプ
８はフック
９は蓋
１０，１０’は可動弁．
１１は空気弁下部
１２は空気弁上部
１３は弁本体の係止部
１４は栓
１５は本体
１６は弁
１７はスポンジ等弾性体の係止部
１８はスポンジなどの弾性体
１９は空気ポンプの外壁
２０はシートで出来たチューブ状の空気弁
２１はシートで出来たチューブ状の空気弁で下部に切り込みがある
【図１】
2008212609.tif 000003
【図２】
2008212609.tif 000004
【図３】
2008212609.tif 000005
【図４】
2008212609.tif 000006
【図５】
2008212609.tif 000007
【図６】
2008212609.tif 000008
【図７】
2008212609.tif 000009
【図８】
2008212609.tif 000010
【図９】
2008212609.tif 000011